(57)【要約】【課題】  解凍時に解凍室内の熱が冷凍室に伝達することを抑制することができる解凍装置を備えた冷凍冷蔵庫を提供する。【解決手段】  上段に冷蔵室３１、下段に冷凍室３４を配置し、冷蔵室３１の底部片側に解凍装置、冷凍室３４の天井部片側に製氷装置５４を配置してなる冷凍冷蔵庫３０において、解凍装置と製氷装置５４とを隣接させたことを特徴とする。【選択図】        図２
2006214674.tif 000002
【特許請求の範囲】
【請求項１】
上段に冷蔵室、下段に冷凍室を配置し、前記冷蔵室の底部片側に解凍装置、前記冷凍室の天井部片側に製氷装置を配置してなる冷凍冷蔵庫において、
前記解凍装置と前記製氷装置とを隣接させたことを特徴とする冷凍冷蔵庫。
【発明の詳細な説明】
【技術分野】
【０００１】
この発明は、冷凍冷蔵庫、特に、解凍装置を備えた冷凍冷蔵庫に関する。
【背景技術】
【０００２】
一般に、解凍物を収容する解凍室を備えた冷蔵庫が知られている。特開２００２−１８８８７７号公報には、冷凍室と、冷凍室の上段に配置された可変温度室と、可変温度室の上段に配置された野菜室と、野菜室の上段に配置された冷蔵室とを備え、解凍用ヒータが可変温度室の天井部片側に設けられ、温度保障ヒータが可変温度室の底部片側に設けられた冷蔵庫が提案されている。上記冷蔵庫は、解凍する際に、可変温度室内に解凍対象物を収容し、解凍ヒータと温度保障ヒータとが協働して、可変温度室内の温度を所定温度にまで上昇させて解凍対象物を解凍する。
【特許文献１】特開２００２−１８８８７７号公報
【発明の開示】
【発明が解決しようとする課題】
【０００３】
しかし、上記従来の冷蔵庫においては、解凍を行なう際に、可変温度室の室内温度が上昇することにより、可変温度室内の熱が冷凍室に伝達され、冷凍室内の温度も上昇し、冷凍室内の冷凍対象物の保存性が低下するという問題があった。本発明は、上記のような課題を解決するためになされたものであり、解凍室と製氷室とを隣接させて、解凍時に解凍室内の熱が冷凍室に伝達することを抑制し、冷凍対象物の保存性を確保することができる冷凍冷蔵庫を提案することを目的とする。
【課題を解決するための手段】
【０００４】
本発明に係る冷凍冷蔵庫は、１つの局面では、上段に冷蔵室、下段に冷凍室を配置し、冷蔵室の底部片側に解凍装置、冷凍室の天井部片側に製氷装置を配置してなる冷凍冷蔵庫において、解凍装置と製氷装置とが隣接する。
【発明の効果】
【０００５】
本発明によれば、解凍時における解凍室内の熱が冷凍室に伝達することによる冷凍食品の品質を損なうことを抑制することができ、冷凍食品の保存性を確保することができる。なお、解凍時における解凍室内の熱は、製氷装置設置スペースに熱影響を与えるが、製氷装置そのものが一時的に昇温する弊害は生じ難く、また、氷は、比熱が大きいため、製造された氷が一時的に上昇したとしても、氷の品質に与える影響を小さく抑えることができる。
【発明を実施するための最良の形態】
【０００６】
図１〜図３を用いて本発明の実施の形態について説明する。図１は、本実施の形態に係る冷凍冷蔵庫３０の正面図であり、冷凍冷蔵庫３０は、断熱材からなるキャビネット３７と、キャビネット３７により画成された冷蔵室３１と、冷蔵室３１の底部片側に配置された解凍室３６と、解凍室３６の上面上に配置された製氷用タンク室５０と、解凍室３６の下段に配置された製氷室３３と、製氷室３３の隣に配置された冷凍室３２と、製氷室３３および冷凍室３２の下段に配置された冷凍室３４と、冷凍室３４の下段に配置された野菜室３５とを備えている。
【０００７】
解凍室３６の下段には、製氷室３３が設けられており、解凍室３６と製氷室３３とは、上下方向にて隣接するように配置されている。また、冷凍室３４は、製氷室３３を介して、解凍室３６と離間するように配置されている。なお、本実施の形態においては、製氷用タンク室５０は、解凍室３６の上面上に配置されているが、この位置に限られない。すなわち、製氷用タンク室５０は、解凍室３６の周囲であって、冷蔵室３１内に配置されておればよく、解凍室３６の側面に配置されてもよい。
【０００８】
図２は、冷凍冷蔵庫３０の側断面図であり、この図２に示されるように、製氷用タンク室５０内には、製氷用の水が貯水された貯水タンク５１と、貯水タンク５１内の水を吸い込むポンプ５２と、ポンプ５２と貯水タンク５１との間に配置された配管５５とが設けられている。製氷室３３内の上面側には、製氷装置５４が設けられており、製氷装置５４とポンプ５２との間には、配管５３が設けられている。このため、貯水タンク５１内の水は、配管５５、ポンプ５２および配管５３を介して、製氷装置５４に供給される。製氷装置５４は、供給された水を冷やして、氷を生成し、生成された氷は、製氷室３３内に貯蔵される。このように、製氷装置５４は、冷凍室３４の天井片側に配置されており、解凍室３６の底面側に配置されている。
【０００９】
図３は、解凍室３６の断面図であり、この図３に示されるように、キャビネット３７と、断熱材のしきり４０とにより区画された空間が形成されており、この区画された空間内に区画壁４５がはめ込まれている。区画壁４５は、側壁４５ａと、上壁４５ｂと、底壁４５ｃとから構成されており、区画壁４５内が解凍室３６とされている。解凍室３６の底部には、解凍対象物が配置される解凍プレート４４が設けられている。解凍室３６内の上壁４５ｂ側には、ダクト４３が設けられている。ダクト４３には、ダクト４３内の空気を解凍室３６内に送り込む送り込み口４３ａと、解凍室３６内の空気を取り込む取り込み口４３ｂとが形成されている。また、ダクト４３内には、送り込み口４３ａからダクト４３内の空気を解凍室３６内に送風する送風ファン４１が設けられている。底壁４５ｃの略中央部の下面側には、底壁４５ｃを加熱する下面ヒータ（解凍装置）４２が設けられている。すなわち、下面ヒータ４２は、解凍室３６内の底部片側に配置されている。このため、下面ヒータ４２は、解凍室３６と製氷室３３との間に配置されており、下面ヒータ４２の下面側には、製氷装置５４が配置され、下面ヒータ４２と製氷装置５４とがしきり４０を介して隣接するように配置されている。なお、本実施の形態においては、下面ヒータ４２は、解凍室３６の外側に配置されているが、これに限られない。すなわち、下面ヒータ４２は、その一部または全てが解凍室３６内に配置されてもよい。
【００１０】
このように構成された冷凍冷蔵庫３０を用いて、解凍対象物を解凍するには、まず、解凍室３６内の解凍プレート４４に解凍対象物を置く。そして、下面ヒータ４２が底壁４５ｃを加熱する。底壁４５ｃが加熱されると、解凍室３６内の空気が温められる。この温められた解凍室３６内の空気は、解凍対象物を解凍する。また、温められた解凍室３６内の空気は、送風ファン４１により上方から解凍対象物に向けて吹き付けられ、解凍対象物を均等に解凍する。この際、下面ヒータ４２の熱は、底壁４５ｃを温める一方で、しきり４０を介して製氷室３３に伝達される。すなわち、下面ヒータ４２が発する熱のうち、解凍室３６から外方に向かう熱は、製氷室３３により吸収され、冷凍室３４への伝達が抑制されている。特に、本実施の形態においては、下面ヒータ４２と製氷装置５４とが隣接するように配置されているため、下面ヒータ４２が発する熱のうち、解凍室３６より外方に向かう熱は、製氷装置５４により良好に冷やされる。なお、下面ヒータ４２からの熱は、製氷装置５４自体を昇温する程度の熱量はなく、製氷室３３内の温度は、上昇し難いものとなっている。また、製氷室３３内で製造された氷の比熱は大きいため、下面ヒータ４２からの熱により製氷室３３内の氷の温度が上昇し難く、氷の品質に大きな影響を与え難いものとなっている。
【００１１】
また、解凍室３６内の熱は、しきり４０を介して冷蔵室３１に伝達する一方で、解凍室３６の上面上に配置された製氷用タンク室５０にも伝達される。このため、解凍室３６内の熱の一部は、製氷用タンク室５０を温めることにも費やされ、冷蔵室３１に伝達される熱量が抑えられている。特に、製氷用タンク室５０内には、熱容量の大きい水が満たされた貯水タンク５１が配置されており、貯水タンク５１内の水が解凍室３６から熱量を多く吸収し、解凍室３６から冷蔵室３１に伝達される熱量を抑制する。
【００１２】
さらに、解凍室３６に隣接する冷蔵室３１内の温度は、冷凍室３４内の温度より高く設定されているため、解凍時における解凍室３６内の温度と冷蔵室３１内の温度との差は、解凍時における解凍室３６内の温度と冷凍室３４内の温度との差より、小さくなっている。このため、解凍室３６に冷凍室３４が隣接している場合に解凍室３６内から冷凍室３４に伝達される熱量よりも、解凍室３６に冷蔵室３１が隣接している場合に解凍室３６内から冷蔵室３１に伝達される熱量は、小さくなる。これにより、解凍室３６に冷蔵室３１を隣接させることにより、解凍室３６に冷凍室３４を隣接させる場合と比較して、冷凍室３４内に収容されている食品への影響が小さくなる。上記のように構成された冷凍冷蔵庫３０においては、冷凍室３４に伝達される解凍室３６内の熱量が抑制されているため、冷凍室３４内の温度が上昇し難く、冷凍室３４内に収容されている冷凍対象物の保存性を確保することができる。
【００１３】
また、解凍室３６内の熱の一部は、製氷用タンク室５０を温めることにも費やされ、冷蔵室３１に伝達される熱量が抑えられているため、冷蔵室３１内の温度が上昇することが抑えられ、冷蔵室３１内に収容された冷蔵対象物の保存性を確保することができる。
【００１４】
さらに、解凍室３６に冷蔵室３１を隣接させることにより、解凍室３６に冷凍室３４を隣接させた場合と比較して、収容された食品への影響を小さくすることができ、食品の保存性を確保することができる。
【００１５】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【産業上の利用可能性】
【００１６】
本発明は、解凍室付き冷凍冷蔵庫に好適である。
【図面の簡単な説明】
【００１７】
【図１】本実施の形態に係る冷凍冷蔵庫の正面図である。
【図２】図１に示された冷凍冷蔵庫の側断面図である。
【図３】解凍室の断面図である。
【符号の説明】
【００１８】
３０  冷凍冷蔵庫、３１  冷蔵室、３２  冷凍室、３３  製氷室、３４  冷凍室、３５  野菜室、４２  下面ヒータ（解凍装置）、４３  ダクト。
【図１】
2006214674.tif 000003
【図２】
2006214674.tif 000004
【図３】
2006214674.tif 000005